(57)【要約】  歯科用インプラントは、固定体部、ネック部、及び支台歯部を含む。固定体部の外周面に沿って螺子山が形成されて、終端で下方に突出される曲面部が形成され、前記歯槽骨に埋植される。ネック部は、前記固定体部の上端に一体に形成され、ベンディング可能に括れて形成されるネックを含む。支台歯部は、前記ネック部の上端に一体に形成され、上方に延びる円柱状に成り立つ。支台歯部には、所定の幅と長さを持ちながらその長手方向に上端まで延びる少なくとも一つの挿入溝が形成される。
2007502648.tif 000002
【特許請求の範囲】
【請求項１】
歯槽骨に植立して人工歯牙のような補綴物が装着されるように人工歯根の役割をする歯科用インプラントにおいて、
外周面に沿って螺子山が形成されて、終端で下方に突出される曲面部が形成され、前記歯槽骨に埋植される固定体部と、
前記固定体部の上端に一体に形成され、ベンディング可能に括れて形成されるネックを含むネック部と、
前記ネック部の上端に一体に形成され、上方に延びる円柱状に成り立って、所定の幅と長さを持ちながらその長手方向に上端まで延びる少なくとも一つの挿入溝が形成される支台歯部と、を含む歯科用インプラント。
【請求項２】
前記固定体部の下端は、１°ないし５°のテーパー角度を持ちながら下方にテーパー状に形成されることを特徴とする請求項１に記載の歯科用インプラント。
【請求項３】
前記固定体部の下端には、２段刃部が加工されていることを特徴とする請求項１または２に記載の歯科用インプラント。
【請求項４】
前記固定体部の外周面に形成される螺子山は、螺子山のピッチが0.6mmであり、螺子山角が60°であることを特徴とする請求項１に記載の歯科用インプラント。
【請求項５】
前記ネック部に形成されるネックの直径（Фn）は、螺子山を含みテーパー部分を除いた部分の平均直径として定義される前記固定体部の平均直径（Фs）より小さなことを特徴とする請求項１に記載の歯科用インプラント。
【請求項６】
前記固定体部の平均直径（Фs）は、1.5mmないし2.0mmの範囲内に属することを特徴とする請求項５に記載の歯科用インプラント。
【請求項７】
前記ネックの直径（Фn）は、前記固定体部の平均直径（Фs）の約90%であることを特徴とする請求項６に記載の歯科用インプラント。
【請求項８】
前記固定体部の平均直径（Фs）は、2.0mmないし3.3mmの範囲内に属することを特徴とする請求項５に記載の歯科用インプラント。
【請求項９】
前記ネックの直径（Фn）は、前記固定体部の平均直径（Фs）の約80%であることを特徴とする請求項８に記載の歯科用インプラント。
【請求項１０】
前記固定体部の平均直径（Фs）は、1.5mmないし3.3mmの範囲内に属して、
前記固定体部の平均直径（Фs）は、1.5mmないし2.0mmの範囲内に属する場合には、前記ネックの直径（Фn）は、前記固定体部の平均直径（Фs）の約90%であり、
前記固定体部の平均直径（Фs）は、2.0mmないし3.3mmの範囲内に属する場合には、前記ネックの直径（Фn）は、前記固定体部の平均直径（Фs）の約80%であることを特徴とする請求項５に記載の歯科用インプラント。
【請求項１１】
前記支台歯部に形成される少なくとも一つの挿入溝は、前記支台歯部の中心軸に対して対称に形成される一対の挿入溝を含むことを特徴とする請求項１に記載の歯科用インプラント。
【請求項１２】
前記少なくとも一つの挿入溝は、平坦な底面を持って、前記挿入溝の底面での前記支台歯の厚さが上方に行くほど減少するように前記底面はテーパー状に形成される請求項１に記載の歯科用インプラント。
【発明の詳細な説明】
【技術分野】
【０００１】
歯科用インプラントとは、口腔内で部分的に、あるいは全体的に歯牙が喪失された部位に歯牙の根形態を持つ金属を顎骨に植えて骨と癒着させた後、歯牙を形成することを言う。インプラントは、その植立位置によって、骨膜下インプラント、骨内インプラント、骨貫通型インプラントなどに区分でき、インプラントの外形によって、螺子型インプラント、シリンダー型インプラントなどに区分できる。このようなインプラントは、隣接歯牙を削る必要がなく、歯茎骨が吸収されることを阻んで機能的、審美的に優れた補綴物を作ることができ、話したり笑う時、または食事時に総入れ歯が脱落されることがないなどの長所を有する。
【０００２】
一方、インプラントは、大きく歯牙根形状の金属を顎骨内に植える過程である１次手術で終わるインプラントと１次及び２次手術を施行した後、補綴治療をするインプラントで、また分類できる。
【０００３】
前記１次手術で手術を終了するインプラントの場合には、金属部分が口腔内に露出される一方、１次手術に引き続き歯牙形態の構造物を人工歯牙の根に連結して自然な歯茎形態を作る過程である２次手術までするインプラントは、２次手術時にインプラントの金属部分を露出させるので、１次手術で終わる場合より外様的な面で優れているが、手術を２回にわたってしなければならない短所がある。
【０００４】
特に、従来の２次にわたるインプラント手術の場合、１次の外科的手術によって顎骨にインプラントの固定体を植立した後、植立されたインプラントに骨組織を癒着させるために３ヶ月ないし６ヶ月程度の長い時間を待って、初めて２次的な補出術式を通じて最終補綴物を前記インプラントに連結する過程を経ることになる。従って、患者はインプラント植立後、長い時間相当な不便を忍耐しなければならない問題点があった。同時に、手術を２回にわたってしなければならないという患者の心理的、経済的負担が伴って、施術過程が複雑である短所があった。
【０００５】
このような問題点は、１次手術時に最終補綴物である支台歯をすぐ連結して２次手術を省略する臨床術式の成功報告があり、インプラントのデザイン改良で多少改善されたが、最終補綴物を連結する器具使用過程の煩わしさは相変わらず存在している。
【０００６】
また、インプラントは植立部位によって、小型、標準型、大型に区分され製作されているが、大部分は西洋人の顎骨構造に合うように製作された製品である。特に歯間間隔が狭い東洋人の前歯部用で適し、インプラント施術即時に補綴物を装着して咀嚼力を発揮できる即時機能型インプラントが必要であり、したがって、口腔内で容易に切削及び屈曲が可能なインプラントの開発が要求されているのが実情である。
【発明の開示】
【発明が解決しようとする課題】
【０００７】
本発明は、前記したような問題点を解決するために創案されたものであって、その目的は、抜歯後直ちに植立できるように固定体と支台歯が一体化された歯科用即時機能インプラント(Immediate Loading Implant)を提供することである。
【０００８】
本発明の他の目的は、改善されたピンタイプの構造を持つことで、骨組織に移植され骨組織との骨融合性を極大化でき、初期骨治癒反応を増進させ、咀嚼中に応力が効果的に分散されるようにインプラントを提供することである。
【０００９】
本発明のさらなる他の目的は、結着部の構造を改善して皮脂骨の吸収を防止し、植立時、歯槽骨の高さを咀嚼後にも維持できるインプラントを提供することである。
【課題を解決するための手段】
【００１０】
前記の目的を達成するために、本発明の実施形態によるインプラントは、歯槽骨に植立して人工歯牙のような補綴物が装着されるように人工歯根の役割をする歯科用インプラントであって、固定体部、ネック部、及び支台歯部を含む。固定体部の外周面に沿って螺子山が形成されて、終端で下方に突出される曲面部が形成され、前記歯槽骨に埋植される。ネック部は、前記固定体部の上端に一体に形成され、ベンディング可能に括れて形成されるネックを含む。支台歯部は、前記ネック部の上端に一体に形成され、上方に延びる円柱状に成り立つ。支台歯部には、所定の幅と長さを持ちながらその長手方向に上端まで延びる少なくとも一つの挿入溝が形成される。
【００１１】
前記固定体部の下端は、1°ないし5°のテーパー角度を持ちながら下方にテーパー状に形成されて、前記固定体部の下端には、２段刃部が加工されていることを特徴とする。
【００１２】
前記固定体部の外周面に形成される螺子山は、螺子山のピッチが0.6mmであり、螺子山角が60°で形成されうる。
【００１３】
前記ネック部に形成されるネックの直径（Фn）は、前記固定体部の平均直径（Фs）より小さく形成されることが望ましい。ここで、固定体部の平均直径（Фs）は、テーパー部分を除いた部分で螺子山を含んだ高さまで測定した直径である。
【００１４】
本発明の他の実施形態では、前記固定体部の平均直径（Фs）は、1.5mmないし2.0mmの範囲内に属することが望ましい。この場合に、前記ネックの直径（Фn）は、前記固定体部の平均直径（Фs）の約90%であることが望ましい。
【００１５】
本発明のさらに他の実施形態では、前記固定体部の平均直径（Фs）は、2.0mmないし3.3mmの範囲内に属することが望ましい。この場合に、前記ネックの直径（Фn）は、前記固定体部の平均直径（Фs）の約80%であることが望ましい。
【００１６】
前記支台歯部に形成される少なくとも一つの挿入溝は、前記支台歯部の中心軸に対して対称に形成される一対の挿入溝を含む。
【００１７】
前記少なくとも一つの挿入溝は、平坦な底面を持って、前記挿入溝の底面での前記支台歯の厚さが上方に行くほど減少するように前記底面はテーパー状に形成されることが望ましい。
【発明の効果】
【００１８】
以上説明したように、本発明による歯科用インプラントによれば、歯槽骨内に植立される固定体と補綴物を形成するための支台歯部分を一体化させることで、粘膜／骨膜を剥離しなくても植立が可能であるために、手術後の疼痛や感染に対する危険性が少なく、短時間に施術を終わらせることができ、初期固定期間が短くて骨量が少ない顎骨や歯間空間が小さい前歯部欠損歯に有利である。
【００１９】
また、歯槽骨に埋植される固定対部と歯茎の上に露出される支台歯部の間に直径が細いネック部を形成して、任意に屈曲させることができるために歯列に対する調整が易しく審美性回復や技工作業が容易である。
【００２０】
一方、インプラントの固定体に該当する部分全体に標準螺子形態の固定体部を形成することで、交合力による応力分散が易しくインプラント施術即時、補綴も可能である。
【００２１】
さらに、インプラント上端部に挿入溝を形成することで、最終補綴物の装着時、インプラントとセメントとの結合力を増大させうる。
【発明を実施するための最良の形態】
【００２２】
以下、通常の知識を有する者が、本発明を容易に実施できるように実施形態に関して説明する。
【００２３】
以下、本発明の一実施形態を添付した図面を参照して詳細に説明すれば次のようである。図１は、本発明の一実施形態によるインプラントを図示した部分切断正面図であり、図２は、図１のII-II線に沿って切って見た断面図であり、 図３は、図１のIIIの方向から見た平面図である。
【００２４】
図１に図示したように、本実施形態によるインプラント１０は、大きく固定体部Ａ、ネック部Ｂ、及び支台歯部Ｃを含む。
【００２５】
前記インプラント１０の下端部に位置する固定体部Ａは、歯槽骨の骨組織内に埋植される部分で、その外周面に沿って螺子山１２が形成され、インプラント手術時、歯槽骨に形成したドリル溝に螺子が挿入される。前記螺子山１２は、螺子山ピッチ(p)0.6mm、螺子山角60°を持つ標準螺子形態に形成されることが望ましく、このようにすることで、交合力による応力分散が容易である。図１で、切断面部には、図面の簡略化のために螺子山１２の図示が省略された。
【００２６】
固定体部Ａの終端には、下方に突出される曲面部が形成される。固定体部Ａの終端が曲面の形状を持つことで、歯槽骨に埋植された固定体部Ａが歯槽骨内で漸次的に挿入されることを防止できる。結果的に、固定体部の終端が尖った形で成り立つ従来のインプラントでは、植立時に固定体部が歯槽骨内で継続的に挿入される問題によって永久的なインプラントとして使うことが困難であるが、本発明の実施形態によるインプラントは、固定体部Ａが歯槽骨内で継続的に挿入されることが防止できて永久的なインプラントとしても適合する。
【００２７】
前記固定体部Ａの下端は、テーパー角度（θ）を持ちながら下方にテーパー状に形成されて、テーパー角度（θ）は、1°ないし5°の範囲内に属することが望ましい。また、図1及び図２に図示したように、固定体部Ａの下端に所定の長さ程度２段刃部Ｄが加工されている。このような刃部Ｄは、前記固定体部Ａの外周面一部に中心軸に対して互いに対称である一対の刃溝１３、１４を所定の深さでインプラント１０の長手方向に沿って切削加工することで形成されうる。この時、前記刃溝１３、１４は、直角に形成されることが望ましく、前記テーパー部分は、前記刃部Ｄと対応するように形成されることが望ましい。このように固定体部Ａ下端をテーパー状に形成して２段刃部Ｄを形成することで、インプラント１０植立時、歯槽骨のドリル溝内に前記インプラント１０の正しいガイドとセルフタッピング機能が容易である。しかし、本発明の範囲は、このような実施形態に限定されるのではなく、インプラントの正しいガイドのため、３段以上の刃部を形成することも可能である。
【００２８】
前記ネック部Ｂは、前記固定体部Ａの上端に一体に形成され、前記固定体部Ａの平均直径（Фs）より小さな直径（Фn）を持つように括れて形成されるネック２１を含む。ここで、固定体部Ａの平均直径（Фs）は、テーパー部分を除いた部分で螺子山を含んだ高さまで測定した直径で定義する。
【００２９】
固定体部Ａの直径は、1.5mmないし3.3mmの範囲に属するように形成されることが望ましく、 固定体部Ａの長さは、10.0mmないし15.0mmの範囲に属することが望ましい。
【００３０】
この時、本発明の実施形態によるインプラントが一時的な機能を持つようにするためには、固定体部Ａの直径が1.5mmないし2.0mmの範囲に属するようにすることが望ましい。この場合に、ネック２１の直径（Фn）は、固定体部Ａの平均直径（Фs）の90%程度であることが望ましい。
【００３１】
一方、本発明の実施形態によるインプラントが永久的な機能を持たせるためには、固定体部Ａの直径が2.0mmないし3.3mmの範囲に属するようにすることが望ましい。この場合に、ネック２１の直径（Фn）は、固定体部Ａの平均直径（Фs）の80%程度であることが望ましい。
【００３２】
本発明の実施形態によるインプラントが臨時的なインプラントで使われる場合には、相対的に固定体部Ａの直径を小さくすることで、歯槽骨からインプラントをより容易に除去させる。そして、固定体部Ａの平均直径が相対的に小さい一時的な用途のインプラントでは、ネックの直径の固定体部Ａの平均直径に対する比率が永久的な用途のインプラントでより小さくすることで、一時的な用途のインプラントでもネック部がベンディング特性をもつと同時に、一定な構造的強度を持つようにした。
【００３３】
このように形成されるネック部Ｂは、応力集中及び破壊を避けながら容易に曲げるように加工して、上、下顎歯列に対する調整が可能である。すなわち、本発明の一実施形態によるインプラントのネック部は、ベンディング可能に括れて形成されることで、インプラント植立後、上下交合による位置補正が可能になる。この時、ネック２１の直径（Фn）は、2.0mm程度であることが望ましい。同時に、ネック部は、ベンディング可能になるように靭性に優れた“Grade 3 CP-Titannium”で形成することが望ましい。このような条件下で、ネック部は、約15°位のベンディングが可能である。
【００３４】
前記支台歯部Ｃは、前記ネック部Ｂの上端に一体に形成され、前記ネック部Ｂから上方に延びる円柱状に成り立つ。また、前記支台歯部Ｃは、1°ないし10°のテーパー角度範囲内で上方にテーパー状に形成されうる。 支台歯部Ｃは、口腔内の交合条件によって切削が可能である。
【００３５】
また、図１及び図３に図示したように、前記支台歯部Ｃには、所定の幅と深さを持ちながら長手方向に上端まで延びる一対の挿入溝３１、３２が形成されるところ、これら挿入溝３１、３２は、支台歯部Ｃの中心軸に対して互いに対称に形成される。このような挿入溝３１、３２は、最終補綴物との結合力を増大させるために形成するようになる。
【００３６】
この時、挿入溝３１、３２は平坦な底面３３、３４を持つように形成されることが望ましい。また、図２に図示したように、前記挿入溝３１、３２の底面３３、３４での前記支台歯の厚さ（即ち、底面を横切る位置での支台歯の厚さ）が上方に行くほど減少するように前記底面３３，３４はテーパー状に形成されることが望ましい。したがって、支台歯部Ｃに結合される最終補綴物の逆回転を防止することで、最終補綴物との結合力がさらに大きくなる。
【００３７】
図４は、本発明の一実施形態によるインプラントが歯槽骨に植立された状態を図示した図面である。
【００３８】
図４に図示したように、歯槽骨４０内では、インプラント１０の固定体部Ａが埋植されて、その上端に形成されるネック部Ｂは、おおよそ歯茎４１部分に対応して位置される。そして、前記支台歯部Ｃは歯茎４１外に露出されるようになって、この支台歯部Ｃに最終補綴物である人工歯牙４３が装着されて人工歯牙システムを完成する。
【００３９】
以上、本発明の望ましい実施形態に対して説明したが、本発明は、ここに限定されず、特許請求の範囲と発明の詳細な説明及び添付した図面の範囲内でいろいろに変形して実施することが可能で、これも本発明の範囲に属することは当然である。
【産業上の利用可能性】
【００４０】
本発明は、歯科用インプラント関連技術分野に適用可能である。
【図面の簡単な説明】
【００４１】
【図１】本発明の一実施形態によるインプラントを図示した部分切断正面図である。
【図２】図１のII-II線に沿って切って見た断面図である。
【図３】図１のIIIの方向から見た平面図である。
【図４】本発明の一実施形態によるインプラントが歯槽骨に植立された状態を図示した図面である。
【符号の説明】
【００４２】
１０  インプラント
１２  螺子山
１３  刃溝
１４  刃溝
２１  ネック
３１  挿入溝
３２  挿入溝
３３  底面
３４  底面
４０  歯槽骨
４１  歯茎
４３  人工歯牙
Ａ    固定体部
Ｂ    ネック部
Ｃ    支台歯部
Ｄ    刃部
【図１】
2007502648.tif 000003
【図２】
2007502648.tif 000004
【図３】
2007502648.tif 000005
【図４】
2007502648.tif 000006
【手続補正書】
【提出日】平成18年3月3日(2006.3.3)
【手続補正１】
【補正対象書類名】特許請求の範囲
【補正対象項目名】全文
【補正方法】変更
【補正の内容】
【特許請求の範囲】
【請求項１】
歯槽骨に植立して人工歯牙のような補綴物が装着されるように人工歯根の役割をする歯科用インプラントにおいて、
外周面に沿って螺子山が形成され、前記歯槽骨に埋植される固定体部と、
前記固定体部の上端に一体に形成され、ベンディング可能に括れて形成されるネックを含むネック部と、
前記ネック部の上端に一体に形成され、上方に延びる円柱状に成り立つ支台歯部と、を含む歯科用インプラント。
【請求項２】
前記固定体部の下端は、１°ないし５°のテーパー角度を持ちながら下方にテーパー状に形成されることを特徴とする請求項１に記載の歯科用インプラント。
【請求項３】
前記固定体部の下端には、２段刃部が加工されていることを特徴とする請求項１に記載の歯科用インプラント。
【請求項４】
前記固定体部の外周面に形成される螺子山は、螺子山のピッチが0.6mmであり、螺子山角が60°であることを特徴とする請求項１に記載の歯科用インプラント。
【請求項５】
前記ネック部に形成されるネックの直径（Фn）は、螺子山を含みテーパー部分を除いた部分の平均直径として定義される前記固定体部の平均直径（Фs）より小さなことを特徴とする請求項１に記載の歯科用インプラント。
【請求項６】
前記固定体部の平均直径（Фs）は、1.5mmないし2.0mmの範囲内に属することを特徴とする請求項５に記載の歯科用インプラント。
【請求項７】
前記ネックの直径（Фn）は、前記固定体部の平均直径（Фs）の約90%であることを特徴とする請求項６に記載の歯科用インプラント。
【請求項８】
前記固定体部の平均直径（Фs）は、2.0mmないし3.3mmの範囲内に属することを特徴とする請求項５に記載の歯科用インプラント。
【請求項９】
前記ネックの直径（Фn）は、前記固定体部の平均直径（Фs）の約80%であることを特徴とする請求項８に記載の歯科用インプラント。
【請求項１０】
前記固定体部の平均直径（Фs）は、1.5mmないし3.3mmの範囲内に属して、
前記固定体部の平均直径（Фs）は、1.5mmないし2.0mmの範囲内に属する場合には、前記ネックの直径（Фn）は、前記固定体部の平均直径（Фs）の約90%であり、
前記固定体部の平均直径（Фs）は、2.0mmないし3.3mmの範囲内に属する場合には、前記ネックの直径（Фn）は、前記固定体部の平均直径（Фs）の約80%であることを特徴とする請求項５に記載の歯科用インプラント。
【請求項１１】
前記支台歯部は、所定の幅と長さを持ちながらその長手方向に上端まで延びる少なくとも一つの挿入溝を持ち、前記挿入溝は、前記固定体部の中心軸に対して対称に形成される一対の挿入溝で用意されることを特徴とする請求項１に記載の歯科用インプラント。
【請求項１２】
前記少なくとも一つの挿入溝は、平坦な底面を持って、前記挿入溝の底面での前記支台歯の厚さが上方に行くほど減少するように前記底面はテーパー状に形成される請求項１１に記載の歯科用インプラント。
【手続補正２】
【補正対象書類名】明細書
【補正対象項目名】全文
【補正方法】変更
【補正の内容】
【発明の詳細な説明】
【技術分野】
【０００１】
本発明は、歯科用インプラントに関する。
【背景技術】
【０００２】
歯科用インプラントとは、口腔内で部分的に、あるいは全体的に歯牙が喪失された部位に歯牙の根形態を持つ金属を顎骨に植えて骨と癒着させた後、歯牙を形成することを言う。インプラントは、その植立位置によって、骨膜下インプラント、骨内インプラント、骨貫通型インプラントなどに区分でき、インプラントの外形によって、螺子型インプラント、シリンダー型インプラントなどに区分できる。このようなインプラントは、隣接歯牙を削る必要がなく、歯茎骨が吸収されることを阻んで機能的、審美的に優れた補綴物を作ることができ、話したり笑う時、または食事時に総入れ歯が脱落されることがないなどの長所を有する。
【０００３】
一方、インプラントは、大きく歯牙根形状の金属を顎骨内に植える過程である１次手術で終わるインプラントと１次及び２次手術を施行した後、補綴治療をするインプラントで、また分類できる。
【０００４】
前記１次手術で手術を終了するインプラントの場合には、金属部分が口腔内に露出される一方、１次手術に引き続き歯牙形態の構造物を人工歯牙の根に連結して自然な歯茎形態を作る過程である２次手術までするインプラントは、２次手術時にインプラントの金属部分を露出させるので、１次手術で終わる場合より外様的な面で優れているが、手術を２回にわたってしなければならない短所がある。
【０００５】
特に、従来の２次にわたるインプラント手術の場合、１次の外科的手術によって顎骨にインプラントの固定体を植立した後、植立されたインプラントに骨組織を癒着させるために３ヶ月ないし６ヶ月程度の長い時間を待って、初めて２次的な補出術式を通じて最終補綴物を前記インプラントに連結する過程を経ることになる。従って、患者はインプラント植立後、長い時間相当な不便を忍耐しなければならない問題点があった。同時に、手術を２回にわたってしなければならないという患者の心理的、経済的負担が伴って、施術過程が複雑である短所があった。
【０００６】
このような問題点は、１次手術時に最終補綴物である支台歯をすぐ連結して２次手術を省略する臨床術式の成功報告があり、インプラントのデザイン改良で多少改善されたが、最終補綴物を連結する器具使用過程の煩わしさは相変らず存在している。
【０００７】
また、インプラントは植立部位によって、小型、標準型、大型に区分され製作されているが、大部分は西洋人の顎骨構造に合うように製作された製品である。特に歯間間隔が狭い東洋人の前歯部用で適し、インプラント施術即時に補綴物を装着して咀嚼力を発揮できる即時機能型インプラントが必要であり、したがって、口腔内で易しく切削及び屈曲が可能なインプラントの開発が要求されているのが実情である。
【発明の開示】
【発明が解決しようとする課題】
【０００８】
本発明は、前記したような問題点を解決するために創案されたものであって、その目的は、抜歯後直ちに植立できるように固定体と支台歯が一体化された歯科用即時機能インプラント(Immediate Loading Implant)を提供することである。
【０００９】
本発明の他の目的は、改善されたピンタイプの構造を持つことで、骨組織に移植され骨組織との骨融合性を極大化でき、初期骨治癒反応を増進させ、咀嚼中に応力が効果的に分散されるようにインプラントを提供することである。
【００１０】
本発明のさらなる他の目的は、結着部の構造を改善して皮脂骨の吸収を防止し、植立時、歯槽骨の高さを咀嚼後にも維持できるインプラントを提供することである。
【課題を解決するための手段】
【００１１】
前記の目的を達成するために、本発明の実施形態によるインプラントは、歯槽骨に植立して人工歯牙のような補綴物が装着されるように人工歯根の役割をする歯科用インプラントであって、固定体部、ネック部、及び支台歯部を含む。固定体部の外周面に沿って螺子山が形成され、前記歯槽骨に埋植される。ネック部は、前記固定体部の上端に一体に形成され、ベンディング可能に括れて形成されるネックを含む。支台歯部は、前記ネック部の上端に一体に形成され、上方に延びる円柱状に成り立つ。
【００１２】
前記固定体部の下端は、1°ないし5°のテーパー角度を持ちながら下方にテーパー状に形成されて、前記固定体部の下端には、２段刃部が加工されていることを特徴とする。
【００１３】
前記固定体部の外周面に形成される螺子山は、螺子山のピッチが0.6mmであり、螺子山角が60°で形成されうる。
【００１４】
前記ネック部に形成されるネックの直径（Фn）は、前記固定体部の平均直径（Фs）より小さく形成されることが望ましい。ここで、固定体部の平均直径（Фs）は、テーパー部分を除いた部分で螺子山を含んだ高さまで測定した直径である。
【００１５】
本発明の他の実施形態では、前記固定体部の平均直径（Фs）は、1.5mmないし2.0mmの範囲内に属することが望ましい。 この場合に、前記ネックの直径（Фn）は、前記固定体部の平均直径（Фs）の約90%であることが望ましい。
【００１６】
本発明のさらに他の実施形態では、前記固定体部の平均直径（Фs）は、2.0mmないし3.3mmの範囲内に属することが望ましい。この場合に、前記ネックの直径（Фn）は、前記固定体部の平均直径（Фs）の約80%であることが望ましい。
【００１７】
前記支台歯部は、 所定の幅と長さを持ちながらその長手方向に上端まで延びる少なくとも一つの挿入溝を持ち、前記挿入溝は、前記固定体部の中心軸に対して対称に形成される一対の挿入溝で用意される。
【００１８】
前記少なくとも一つの挿入溝は、平坦な底面を持って、前記挿入溝の底面での前記支台歯の厚さが上方に行くほど減少するように前記底面はテーパー状に形成されることが望ましい。
【発明の効果】
【００１９】
以上説明したように、本発明による歯科用インプラントによれば、歯槽骨内に植立される固定体と補綴物を形成するための支台歯部分を一体化させることで、粘膜／骨膜を剥離しなくても植立が可能であるために、手術後の疼痛や感染に対する危険性が少なく、短時間に施術を終わらせることができ、初期固定期間が短くて骨量が少ない顎骨や歯間空間が小さい前歯部欠損歯に有利である。
【００２０】
また、歯槽骨に埋植される固定対部と歯茎の上に露出される支台歯部の間に直径が細いネック部を形成して、任意に屈曲させることができるために歯列に対する調整が易しく審美性回復や技工作業が容易である。
【００２１】
一方、インプラントの固定体に該当する部分全体に標準螺子形態の固定体部を形成することで、咬合力による応力分散が易しくインプラント施術即時、補綴も可能である。
【００２２】
さらに、インプラント上端部に挿入溝を形成することで、最終補綴物の装着時、インプラントとセメントとの結合力を増大させうる。
【発明を実施するための最良の形態】
【００２３】
以下、通常の知識を有する者が、本発明を容易に実施できるように実施形態に関して説明する。
【００２４】
以下、本発明の一実施形態を添付した図面を参照して詳細に説明すれば次のようである。図１は、本発明の一実施形態によるインプラントを図示した部分切断正面図であり、図２は、図１のII-II線に沿って切って見た断面図であり、 図３は、図１のIIIの方向から見た平面図である。
【００２５】
図１に図示したように、本実施形態によるインプラント１０は、大きく固定体部Ａ、ネック部Ｂ、及び支台歯部Ｃを含む。
【００２６】
前記インプラント１０の下端部に位置する固定体部Ａは、歯槽骨の骨組織内に埋植される部分で、その外周面に沿って螺子山１２が形成され、インプラント手術時、歯槽骨に形成したドリル溝に螺子が挿入される。前記螺子山１２は、螺子山ピッチ(p)0.6mm、螺子山角60°を持つ標準螺子形態に形成されることが望ましく、このようにすることで、咬合力による応力分散が容易である。図１で、切断面部には、図面の簡略化のために螺子山１２の図示が省略された。
【００２７】
前記固定体部Ａの下端は、テーパー角度（θ）を持ちながら下方にテーパー状に形成されて、テーパー角度（θ）は、1°ないし5°の範囲内に属することが望ましい。また、図1及び図２に図示したように、固定体部Ａの下端に所定の長さ程度２段刃部Ｄが加工されている。このような刃部Ｄは、前記固定体部Ａの外周面一部に中心軸に対して互いに対称である一対の刃溝１３、１４を所定の深さでインプラント１０の長手方向に沿って切削加工することで形成されうる。この時、前記刃溝１３、１４は、直角に形成されることが望ましく、前記テーパー部分は、前記刃部Ｄと対応するように形成されることが望ましい。このように固定体部Ａ下端をテーパー状に形成して２段刃部Ｄを形成することで、インプラント１０植立時、歯槽骨のドリル溝内に前記インプラント１０の正しいガイドとセルフタッピング機能が容易である。しかし、本発明の範囲は、このような実施形態に限定されるのではなく、インプラントの正しいガイドのため、３段以上の刃部を形成することも可能である。
【００２８】
前記ネック部Ｂは、前記固定体部Ａの上端に一体に形成され、前記固定体部Ａの平均直径（Фs）より小さな直径（Фn）を持つように括れて形成されるネック２１を含む。ここで、固定体部Ａの平均直径（Фs）は、テーパー部分を除いた部分で螺子山を含んだ高さまで測定した直径で定義する。
【００２９】
固定体部Ａの直径は、1.5mmないし3.3mmの範囲に属するように形成されることが望ましく、 固定体部Ａの長さは、10.0mmないし15.0mmの範囲に属することが望ましい。
【００３０】
この時、本発明の実施形態によるインプラントが一時的な機能を持つようにするためには、固定体部Ａの直径が1.5mmないし2.0mmの範囲に属するようにすることが望ましい。この場合に、ネック２１の直径（Фn）は、固定体部Ａの平均直径（Фs）の90%程度であることが望ましい。
【００３１】
一方、本発明の実施形態によるインプラントが永久的な機能を持たせるためには、固定体部Ａの直径が2.0mmないし3.3mmの範囲に属するようにすることが望ましい。この場合に、ネック２１の直径（Фn）は、固定体部Ａの平均直径（Фs）の80%程度であることが望ましい。
【００３２】
本発明の実施形態によるインプラントが臨時的なインプラントで使われる場合には、相対的に固定体部Ａの直径を小さくすることで、歯槽骨からインプラントをより容易に除去させる。そして、固定体部Ａの平均直径が相対的に小さい一時的な用途のインプラントでは、ネックの直径の固定体部Ａの平均直径に対する比率が永久的な用途のインプラントでより小さくすることで、一時的な用途のインプラントでもネック部がベンディング特性をもつと同時に、一定な構造的強度を持つようにした。
【００３３】
このように形成されるネック部Ｂは、応力集中及び破壊を避けながら容易に曲げるように加工して、上、下顎歯列に対する調整が可能である。すなわち、本発明の一実施形態によるインプラントのネック部は、ベンディング可能に括れて形成されることで、インプラント植立後、上下咬合による位置補正が可能になる。この時、ネック２１の直径（Фn）は、2.0mm程度であることが望ましい。同時に、ネック部は、ベンディング可能になるように靭性に優れた“Grade 3 CP-Titannium”で形成することが望ましい。このような条件下で、ネック部は、約15°位のベンディングが可能である。
【００３４】
前記支台歯部Ｃは、前記ネック部Ｂの上端に一体に形成され、前記ネック部Ｂから上方に延びる円柱状に成り立つ。また、前記支台歯部Ｃは、1°ないし10°のテーパー角度範囲内で上方にテーパー状に形成されうる。 支台歯部Ｃは、口腔内の咬合条件によって切削が可能である。
【００３５】
また、図１及び図３に図示したように、前記支台歯部Ｃには、所定の幅と深さを持ちながら長手方向に上端まで延びる一対の挿入溝３１、３２が形成されるところ、これら挿入溝３１、３２は、支台歯部Ｃの中心軸に対して互いに対称に形成される。このような挿入溝３１、３２は、最終補綴物との結合力を増大させるために形成するようになる。
【００３６】
この時、挿入溝３１、３２は平坦な底面３３、３４を持つように形成されることが望ましい。また、図２に図示したように、前記挿入溝３１、３２の底面３３、３４での前記支台歯の厚さ（即ち、底面を横切る位置での支台歯の厚さ）が上方に行くほど減少するように前記底面３３，３４はテーパー状に形成されることが望ましい。したがって、支台歯部Ｃに結合される最終補綴物の逆回転を防止することで、最終補綴物との結合力がさらに大きくなる。
【００３７】
図４は、本発明の一実施形態によるインプラントが歯槽骨に植立された状態を図示した図面である。
【００３８】
図４に図示したように、歯槽骨４０内では、インプラント１０の固定体部Ａが埋植されて、その上端に形成されるネック部Ｂは、おおよそ歯茎４１部分に対応して位置される。そして、前記支台歯部Ｃは歯茎４１外に露出されるようになって、この支台歯部Ｃに最終補綴物である人工歯牙４３が装着されて人工歯牙システムを完成する。
【００３９】
以上、本発明の望ましい実施形態に対して説明したが、本発明は、ここに限定されず、特許請求の範囲と発明の詳細な説明及び添付した図面の範囲内でいろいろに変形して実施することが可能で、これも本発明の範囲に属することは当然である。
【産業上の利用可能性】
【００４０】
本発明は、歯科用インプラント関連技術分野に適用可能である。
【図面の簡単な説明】
【００４１】
【図１】本発明の一実施形態によるインプラントを図示した部分切断正面図である。
【図２】図１のII-II線に沿って切って見た断面図である。
【図３】図１のIIIの方向から見た平面図である。
【図４】本発明の一実施形態によるインプラントが歯槽骨に植立された状態を図示した図面である。
【符号の説明】
【００４２】
１０  インプラント
１２  螺子山
１３  刃溝
１４  刃溝
２１  ネック
３１  挿入溝
３２  挿入溝
３３  底面
３４  底面
４０  歯槽骨
４１  歯茎
４３  人工歯牙
Ａ    固定体部
Ｂ    ネック部
Ｃ    支台歯部
Ｄ    刃部
【国際調査報告】
2007502648.tif 000007
2007502648.tif 000008